(57)【要約】【課題】  農作業の省力化によるスピードアップと経費の削減、丈夫な稲の生育を所期する種籾の直植え式稲作法を提供する。【解決手段】  水田上に種籾収納器を搭載したトラクターを走らせ、種籾収納器に連なる複数本の傾動自在な送りアームによって水田内に直接種籾を送り込んで植え付ける。【選択図】          図１
2005224225.tif 000002
【特許請求の範囲】
【請求項１】
水田上に種籾収納器を搭載したトラクターを走らせ、種籾収納器に連なる複数本の傾動自在な送りアームによって水田内に種籾を送り込み、以て種籾を水田に直接植え付ける種籾の直植え付け式稲作法。
【請求項２】
送りアームは、種籾収納器直下に設けた配粒箱に一端を取り付け、先端部のノズルから付勢した種籾を間欠的に水田に射出し、種籾収納器はホッパー型であって配粒箱に種籾を送り込み、配粒箱から各送りアームに種籾が分配される請求項１記載の種籾の直植え付け式稲作法
【請求項３】
配粒箱の内部には、種籾収納器から送られた種籾を各送りアームへ所要量を配分するための羽根付き回転体を備えてなる請求項２記載の種籾の直植え付け式稲作法。
【請求項４】
複数本の送りアームは連繋杆によって横方向に連設され、水深にかゝわらず土中に種籾が確実に植え付けられる位置まで連動して介入し、この操作がトラクターに装置した感知センサーの指令に基づき自動制御されることを特徴とする請求項１〜３のいずれかに記載の種籾の直植え付け式稲作法。
【請求項５】
種籾を付勢するために送りアーム又はノズルにエア又は水を送り込み、エア圧又は水圧によって種籾が水田に植え付けられることを特徴とする請求項１〜４のいずれかに記載の種籾の直植え付け式稲作法。
【発明の詳細な説明】
【技術分野】
【０００１】  本発明は、水田に種籾を直に植え付ける、種籾の直植え式稲作法に関する。
【背景技術】
【０００２】  手植えによる稲作法に代わって、田植え機などを用いた自動植え付けによる稲作法が普及して田植え作業のスピード化がなされているが、耕作面積の狭い日本では、米国のように小型飛行機を利用した栽培法にはなじまないため（ラジコン飛行機を用いた方法は一部存在する）、育苗作業や田植え作業を簡略化する方法やそれに伴うコストダウンを図るための技術に力点が置かれている（例えば特許文献１及び特許文献２参照）。
【特許文献１】特開平７−２８９０２４号公報
【特許文献２】特開平１１−１５５３９４号公報
【発明の開示】
【発明が解決しようとする課題】
【０００３】  特許文献１に記載の技術は、袋帯状とした容器に肥料入りの苗床材料と種籾をあらかじめ封入し、容器内で発芽・育苗を行ってその苗を水田に一定間隔で植え付け、植え付けられた容器内において苗の生育と分けつを行うことを特徴としている。ところでこの技術によると、苗床材料と種籾を収納する容器を必要とするためにその製造コストがかゝり、加えて容器内に苗床材料と種籾を封入する作業を必要とするなどの手数を要し、植え付けに至るまでに時間がかゝる等の問題と、容器内の種籾の量にもおのずから制約があるので従来に比し多大な収穫量は所期されないといった懸念がある。【０００４】  また特許文献２に記載の技術は、田植えを行うことなく米を生産することを所期したもので、その方法は秋又は晩秋に雑草の種を蒔いて春までにこれを自生させる工程と、自生した雑草を抜かないで５〜７月の田植え時期に田圃に種籾を蒔き次に除草剤を散布して雑草を枯らす工程と、種籾から発芽した稲が枯れた雑草を養分にして生育する工程、及び生育して実った稲から米を収穫する工程とを有するとしている。この技術は田圃に種籾を蒔くいわゆる直植え手段を用いる点で従来の田植え法とは異なるが、単に種籾を蒔く方法ではいたずらに労力を費やすだけでスピードアップが図られず、蒔いた種籾の配置にも規則性がなく収穫量の増大も所期されないという不具合がある。【０００５】  ところで稲は水を大量に必要とするが、現在では多くの田が基盤整備されているため水不足で困ることはないものの、田植えには気候や水温が大きく関係する。因みに秋田県由利郡上郷農協の長年にわたる統計の結果では、水温が１５°Ｃ以下の時ではどんなに大きい苗でも成長しないという結論がなされている。また現在では育苗箱を用いて育苗する所謂「稚苗箱育苗」が主流となっているが、育苗には相応の時間がかゝるとともに、育苗に至る過程にもかなりの労力を必要とする。まず種籾の段階から水に浸漬する浸種、その後の催芽、更には芽が膨らんだ状態から１ミリほどの長さになったものを脱水して播種機にかけるといった作業を要するとともに、これと平行して育苗箱に入れる床土を準備しなければならない。しかも育苗期間が過ぎても前記のように本田が適温になるまでは田植え着手がままならず、いたずらに時間が経過するといった不具合もあった。【０００６】  しかしてスピードアップを図るために田植え機とトラクターを装備した場合、両方の購入費がかゝるため農家にとってかなりの負担となり、それに見合う収穫がないと採算が取れなくなるという深刻な問題をはらんでいた。【０００７】  本発明は上記従来の事情に鑑み、田植えに要する人手と労力の軽減を図って製造のコストダウンができ、植え付けに至るまでの余分な工程を必要としないので従来以上のスピードアップがなされ、尚かつ気候・地形・水温等にかゝわらずスムースで正確な植え付け作業が可能であり、更には陸稲にも応用できる種籾の直植え付け式稲作法を提供することを目的としている。
【課題を解決するための手段】
【０００８】  すなわち本発明は、水田上に種籾収納器を搭載したトラクターを走らせ、種籾収納器に連なる複数本の傾動自在な送りアームによって水田内に種籾を送り込み、以て種籾を水田に直接植え付ける種籾の直植え付け式稲作法を主旨とするものである。【０００９】  送りアームは、種籾収納器直下に設けた配粒箱に一端を取り付け、先端部のノズルから付勢した種籾を間欠的に水田に射出することを特徴とし、前記種籾収納器はホッパー型であって配粒箱に種籾を送り込み、配粒箱から各送りアームに種籾が分配される。【００１０】  配粒箱の内部には、種籾収納器から送られた種籾を各送りアームへ所要量を配分するための羽根付き回転体を備えることとしている。【００１１】  複数本の送りアームは連繋杆によって横方向に連設され、水深にかゝわらず土中に種籾が確実に植え付けられる位置まで連動して介入し、この操作がトラクターに装置した感知センサーの指令に基づき自動制御されることを特徴としている。【００１２】  種籾を付勢するために送りアーム又はノズルにエア又は水を送り込み、エア圧又は水圧によって種籾が水田に植え付けられることを特徴とする。
【発明の効果】
【００１３】  トラクターに取り付けた送りアームを用いて水田に直接種籾を蒔くことで作業のスピードアップが図られ、労力の軽減と人員の削減ができるため製造コストが節せられる。すなわち種籾の段階で植え付けを行うため、浸種・催芽等の工程を要さず、また育苗作業等も必要がないのでその分作業が簡略化できる。就中水温が従来の適温である１５°Ｃにならない段階でも植え付けた種籾が土中で待機でき、温度上昇とともに自然に生育するのでその分農作業を効率的に実施できる。【００１４】  植え付けにあたり、種籾は水圧等で勢いよく水田に送り込まれるので、飛散したり水面に浮遊することなく確実に植え付けができ、生育したときに稲穂が整然と林立して稲刈り作業を手際よく行うことができる。また送りアームは傾動自在で水深に応じて自動制御され、水田の水張り状態の如何にかゝわらず土壌の所定位置へ種籾を正確に送り込むことができる。そして水田へ直接種籾を植え付けることにより、種籾の持つ本来のエネルギーといったものが損なわれずに苗へと成長させることができるので、生育した時に苗植えをしたものに比べて太くて腰のある頑丈な稲の収穫が所期される。【００１５】  種籾収納器はホッパー型のため稲籾を確実に配粒箱へと送り込むことができ、配粒箱に接続した送りアームから規則正しく種籾を水田に注入できる。しかして配粒箱内部における羽根付き回転体によって各送りアームに所定量の種籾がまんべんなく行きわたり、ノズルからの植え付け作業に遅滞を生ずることがなく一連の作業が頗る迅速になされる。更に本発明に使用する装置は既存のトラクターに取り付けできるので大規模な設備費がかゝらず、取り扱いも容易であり能率的安易に作業ができる。
【発明を実施するための最良の形態】
【００１６】  図面を参照して実施の形態を説明すると、図１において、１０は水田５０上を走行するトラクターであり、このトラクターに、種籾２１を入れた種籾収納器２０が搭載されている。種籾収納器２０はホッパー型をして発芽前の種籾２１を収納するもので直下に配粒箱３０を備え、配粒箱３０に連なる複数本の円筒状送りアーム４０内を通過した種籾２１が最終的には水田５０に植え付けられることになる。【００１７】  配粒箱３０は、種籾収納器２０から落下し送り込まれた種籾２１を送りアーム４０に配分するもので、配粒箱３０に一端を接続した送りアーム４０に夫々等量分配されて送りアーム先端へと移送される。配粒箱３０の内部には図２のようにブラシ状とした羽根付き回転体３１が取り付けられており、回転することで種籾２１が勢いよく複数本の送りアーム４０の接続口から内部へと送り込まれる。送りアーム４０は等間隔に配置されているので種籾２１の粒は各送りアーム４０に等しく配分される。【００１８】  送りアーム４０は傾動自在で先端部に図３のように着脱自在のノズル４１を取り付けてあり、また角度調節ができるようにフレキシブルな素材を用いるか、１か所ないし複数個所で屈曲できるようにしておくと水田５０の水の深さに応じてノズル４１の水中への介入調節が可能となる。なお、種籾２１をノズル４１から水田５０へ送り込む場合に勢いがないと軽量のため水に浮遊したり飛散して正しい位置に植え付けできないおそれがあるが、種籾に空圧若しくは水圧を加えると一気に水田５０内に放出できる。そのために送りアーム４０の途中に開閉弁４３・４３を取り付けて弁の開閉により種籾２１が間欠的に放出できるようにしておく。図示した上部の開閉弁４３では種籾２１を抑止し、１回分の放出量である種籾２１を下部の開閉弁４３で待機させ、下部開閉弁４３が開いて所定量が水田に放出されると同時に上部開閉弁４３が開いて抑止されていた種籾２１の所定量が下部へと送り込まれるようにすることで間欠的に放出される。また放出時に水圧を送り込むための小型ポンプ（図示せず）を送りアームに４０に取り付ける。【００１９】  送りアーム４０は、好ましくは配粒箱３０に１０本接続され、送りアーム相互の間隔を２０センチとり、各送りアームのノズル４１から水田５０に送り込まれる種籾２１の粒数は、１回につき６〜８粒であることが望ましい。送りアーム４０相互間には連繋杆４２が設けられ、全ての送りアーム４０は連動して水田５０へ同時に植え付けされる。【００２０】  しかして送りアーム４０が下降しノズル４１が水中に没入して土壌５１に種籾２１を放出するが、植え付けが終わると送りアーム４０が少しく上昇して次の植え付け位置までそのまゝ移動する。この動作を繰り返して所定位置に種籾２１が連続的規則的に植え付けされるので、広範な水田と雖も確実迅速に種籾２１の直植えができる。【００２１】  従来の苗による植え付けでは、地温・水温が１５°Ｃ以上であることが好ましいとされ適温になるまでは植え付けを待機していたが、上記のように種籾２１を直接水田５０に植え付ける手段を用いた場合は、種籾の自生が促されるため苗を育成する期間を要さず、また必ずしも適温に拘泥しないため１０°Ｃ程度でも植え付けが可��となり、その結果作業の省力化が実現され、また直に植えることで植物本来の野生味が発揮されることとなり、茎が大きくなって風に対しても容易には倒れない頑丈な苗に成長させることができる。なお本発明によって得られる反収は、１穂粒数が１２０〜１３０粒、１株茎数が２０本であり、１反（３００坪）当たり７５０ｋｇ（１２〜１３俵）程度であるから、現在の苗植え方式と比べて収穫量が必ずしも多いとはいえない（むしろやゝ少なめ）が、作業のスピード化・省力化による単位時間当たりの労賃換算・能率度等を考慮すると時間当たりの売上増ともなり、結局は収穫高アップにつながるものといえる。【００２２】  送りアーム４０の本数、夫々の間隔幅などは任意であり、また着脱自在のノズル４１は長さ調節自在としたり替え刃のように用途や土質等に応じて形状を変えることができる。例えばノズル４１に刃先のような先鋭形状のものを用いると、直接ノズル先端を土壌に食い込ませることができて不耕起栽培にも適し、水稲だけでなく陸稲の植え付けにも本方法による直植えが実施でき、更にはノズル４１から肥料を土壌に送り込むこともできるなど多目的利用も可能となる。なお本発明の目的効果を奏する範囲における形状等の変更は本発明の任意な実施範囲に属するものであり、また回転体３１の回転作動、送りアーム４０の傾動操作等の装置自体はこの種技術分野において用いられる手段によって容易に実現されること勿論である。
【図面の簡単な説明】
【図１】本発明を実施する全体の説明図である。
【図２】配粒箱の内部を切断し、送りアームの接続例を示す説明図である。
【図３】送りアーム下部の説明図である。
【符号の説明】
１０  トラクター
２０  種籾収納器
２１  種籾
３０  配粒箱
３１  回転体
４０  送りアーム
４１  ノズル
４２  連繋杆
４３  開閉弁
５０  水田
５１  土壌
【図１】
2005224225.tif 000003
【図２】
2005224225.tif 000004
【図３】
2005224225.tif 000005